(57)【特許請求の範囲】
【請求項１】
着用可能なモジュラ運搬システムであって
ベルトと、
前記ベルトに隣接して保持され、かつ上部ポスト突起部及び下部ポスト突起部を伴う係止ポスト、ならびに鍵穴のうちの少なくとも１つを伴って構成されている、取り付けインサートと、
モジュラ物体であって、磁気ボトルマウントと磁気活性ボトルの組み合わせ、バスケット、ホルスタ、ツールホルダ、懐中電灯ホルダのうちの少なくとも１つを備え、前記取り付けインサートへの可逆的な取り付けのために構成された、モジュラ物体と、
前記取り付けインサートの前記係止ポストの対応部分としてサイズ決定及び成形された少なくとも１つのスロットを伴って構成された、係止クリップと、を備える、着用可能なモジュラ運搬システム。
【請求項２】
前記磁気活性ボトルは、前記ボトルの首部の周りに取り外し可能な、金属の、連続的なリングを伴って構成され、前記磁気ボトルマウントは、前記ボトルが前記ボトルマウント内に着座されるとき、前記ボトル上の前記リングに対応する前記ボトルマウント上の場所において少なくとも１つの磁石を伴って構成される、請求項１に記載の着用可能なモジュラ運搬システム。
【請求項３】
前記取り付けインサートが、縫合、融着、及び接着のうちの少なくとも１つによって、前記ベルトに隣接して保持されている、請求項１に記載の着用可能なモジュラ運搬システム。
【請求項４】
前記取り付けインサートの前記少なくとも１つの係止ポスト、前記モジュラ物体、及び前記係止クリップが、共に可逆的に取り付けられたとき、組み合わさる、請求項１に記載の着用可能なモジュラ運搬システム。
【請求項５】
前記少なくとも１つの係止ポストの前記上部ポスト突起部及び前記下部ポスト突起部が、異なって構成されており、前記上部ポスト突起部が、前記モジュラ物体を受容するために構成され、前記下部ポスト突起部が、前記係止クリップのクリップタブを受容するために構成されている、請求項１に記載の着用可能なモジュラ運搬システム。
【請求項６】
前記取り付けインサートが、内部に前記取り付けインサートを配置するように構成されたポケットにより、前記ベルトに隣接して保持されている、請求項１に記載の着用可能なモジュラ運搬システム。
【請求項７】
前記取り付けインサートが、前記モジュラ物体の重量を周囲に分配するために卵形の形状である、請求項１に記載の着用可能なモジュラ運搬システム。
【請求項８】
前記取り付けインサートが、可撓性制御を提供するために少なくとも１つの支持部を備えている、請求項７に記載の着用可能なモジュラ運搬システム。
【請求項９】
前記取り付けインサートが、前記モジュラ物体の重量をＸ形状の延伸部間に分配するためにＸ形状である、請求項１に記載の着用可能な運搬システム。
【請求項１０】
前記磁気ボトルマウントが、前記係止クリップのスライドが位置付けられている少なくとも１つのスライドスロットを伴って構成されており、前記スライドスロットの寸法が、前記係止クリップの移動を画定する、請求項１に記載の着用可能なモジュラ運搬システム。
【請求項１１】
前記取り付けインサートが、上部ラッチ、下部くさび、及び少なくとも１つのスペーサをさらに備える、請求項１に記載の着用可能なモジュラ運搬システム。
【請求項１２】
前記モジュラ物体が、複数の安定化点間で前記取り付けインサート上に係止する、請求項１１に記載の着用可能なモジュラ運搬システム。
【請求項１３】
前記複数の安定化点が、前記上部ラッチ、前記下部くさび、前記少なくとも１つのスペーサ、前記上部ポスト突起部、及び前記下部ポスト突起部のうちの少なくとも１つを含む、請求項１２に記載の着用可能なモジュラ運搬システム。
【請求項１４】
前記上部ラッチ、前記下部くさび、及び前記少なくとも１つのスペーサのうちの少なくとも１つが、前記モジュラ物体が縦方向に移動することを防止し、前記上部ポスト突起部及び前記下部ポスト突起部のうちの少なくとも１つが、前記モジュラ物体が横方向に移動することを防止する、請求項１３に記載の着用可能なモジュラ運搬システム。
【請求項１５】
前記係止クリップが、ユーザインターフェース特性を伴って構成されている、請求項１に記載の着用可能なモジュラ運搬システム。
【請求項１６】
着用可能なモジュラ運搬システムを使用する方法であって、
磁気ボトルマウントと磁気活性ボトルの組み合わせ、バスケット、ホルスタ、ツールホルダ、懐中電灯ホルダのうちの少なくとも１つを備えるモジュラ物体を、少なくとも１つの係止ポストを伴って構成された取り付けインサートに取り付けることを、
前記取り付けインサートの前記少なくとも１つの係止ポストが、前記モジュラ物体のスロット内に、及び前記モジュラ物体のスロットを通して設置されるように、前記取り付けインサートの上面を前記モジュラ物体の背面に抗して置くことと、
前記取り付けインサートの前記上面に沿って縦方向に前記モジュラ物体をスライドさせることと、
前記モジュラ物体の一部を前記係止ポストの上部ポスト突起部の下にスライドさせることによって、前記モジュラ物体を前記取り付けインサート上に可逆的に係止することと、によって行うことと、
前記取り付けインサートに前記モジュラ物体を可逆的に係止するために、係止クリップを前記システムに取り付けることを、
前記モジュラ物体が、前記取り付けインサートと前記係止クリップとの間にあり、かつ前記係止ポストが、前記取り付けインサートの前記係止ポストの対応部分としてサイズ決定及び成形された前記係止クリップ内のスロット内に、及びスロットを通して配置されるように、前記係止クリップを前記取り付けインサートの前記少なくとも１つの係止ポストの上に設置し、前記モジュラ物体の内面に当接させることと、
前記モジュラ物体の前記内面に沿って前記係止クリップをスライドさせることと、
前記係止クリップのクリップタブを前記係止ポストの下部ポスト突起部の下にスライドさせることによって、前記係止クリップを前記取り付けインサート上に、前記モジュラ物体がそれらの間にある状態で、可逆的に係止することと、によって行うことと、を含む、着用可能なモジュラ運搬システムを使用する方法。
【請求項１７】
前記着用可能なモジュラ運搬システムから前記モジュラ物体を取り外すことを、
前記係止クリップのクリップタブが前記係止ポストの下部ポスト突起部から取り除かれるように前記係止クリップをスライドさせることと、
前記モジュラ物体にスライド力を適用して、それを前記係止ポストの前記上部ポスト突起部から取り除くことと、によって行うことをさらに含む、請求項１６に記載の着用可能なモジュラ運搬システムを使用する方法。
【発明の詳細な説明】
【技術分野】
【０００１】
関連出願の相互参照
本出願は、２０１５年９月１５日に出願された、米国仮特許出願第６２／２１８，６３４号のＰＣＴ第８条下の優先権の利益を主張するものであり、その内容が、全体の参照によって本明細書に組み込まれる。
【０００２】
本発明は、そのいくつかの実施例において、身体活動に関し、より具体的には、限定されるものではないが、身体活動アクセサリに関する。
【背景技術】
【０００３】
長年、様々な水分補給システムが、激しい運動または娯楽活動中に手を使わずに水を運搬する手段を提供することを主たる目的として、ランナー、歩行者、ハイカー、及びアウトドア愛好者のために設計されている。このような製品は、概して、液体が手の届く範囲内にあることを可能とするために、腰または背中に着用されるように設計されている。
【０００４】
これらの製品の種類は、概して、（１）腰の周りに着用されたボトルを使用するもの、及び（２）バックパックとして着用された袋を使用するもの、の２つの型で市販される。腰用システムに関して、ボトルは、概して、いくつかの種類の布製スリーブまたは剛性（または半剛性）ケージ内に収容される。ボトルをスリーブまたはケージから取り外すには、垂直方向において上方にボトルを引き上げることが必要となる。現行の腰用システムが、概して、手放しで液体を移送することが可能となることでその主たる目的を達成している一方で、エンドユーザの間で共通する不満は、特に動作しながら、スリーブまたはケージからボトルを出し入れすることがほとんど不可能であるという点である。その結果、一部のエンドユーザは、ボトルの使用の困難を容易にするために、彼らの腰の前部にボトルを着用することになる。その他は、システムを使用することを単純にやめて、ボトルを手で運搬することを選択する。バックパック用システムに関して、一般的な不満は、それらがかさばり、背中領域を大きく覆うことから余分な体熱を作り出すということである。また、バックパック用システムは、ホースを通して水を分注するが、これは、特に砂糖を含む液体がシステム内部で集まると、洗浄及び維持することが困難となる。
【０００５】
この分野におけるこれまでの試行としては、ＵＳ２００６／００９７０１９、ＵＳ７７１２１９６、ＵＳ６６６６３６０、ＵＳ６４０１９９３、ＵＳ６００４０３３、ＵＳ５０６０８３３、及びＵＳＤ４４４２９５が挙げられ、その内容は、その全体の参照によって本明細書に組み込まれる。
【発明の概要】
【０００６】
本発明のいくつかの実施形態の態様に従って、ベルトと、ベルトに隣接して保持され、かつ上部ポスト突起部及び下部ポスト突起部を伴う係止ポスト、ならびに鍵穴のうちの少なくとも１つを伴って構成された取り付けインサートと、取り付けインサートへの可逆的な取り付けのために構成されたモジュラ物体と、を備える、着用可能なモジュラ運搬システムが提供される。
【０００７】
ある実施形態において、モジュラ物体は、磁気ボトルマウントと磁気活性ボトルの組み合わせ、バスケット、ホルスタ、ツールホルダ、懐中電灯ホルダのうちの少なくとも１つである。
【０００８】
ある実施形態において、システムは、取り付けインサートの係止ポストの対応部分としてサイズ決定及び成形された少なくとも１つのスロットを伴って構成された係止クリップをさらに備える。
【０００９】
ある実施形態において、磁気活性ボトルは、ボトルの首部の周りに取り外し可能な、金属の、連続的なリングを伴って構成され、磁気ボトルマウントは、ボトルがボトルマウント内に着座されるとき、ボトル上のリングに対応するボトルマウント上の場所において少なくとも１つの磁石を伴って構成される。
【００１０】
ある実施形態において、取り付けインサートは、縫合、融着、及び接着のうちの少なくとも１つによって、ベルトに隣接して保持される。
【００１１】
ある実施形態において、取り付けインサートの少なくとも１つの係止ポスト、モジュラ物体、及び係止クリップは、共に可逆的に取り付けられたとき、組み合わさる。
【００１２】
ある実施形態において、少なくとも１つの係止ポストの上部ポスト突起部及び下部ポスト突起部は、異なって構成されており、上部ポスト突起部は、モジュラ物体を受容するために構成され、下部ポスト突起部は、係止クリップのクリップタブを受容するために構成される。
【００１３】
ある実施形態において、取り付けインサートは、内部に取り付けインサートを配置するために構成されたポケットにより、ベルトに隣接して保持される。
【００１４】
ある実施形態において、取り付けインサートは、モジュラ物体の重量を周囲に分配するために卵形の形状である。
【００１５】
ある実施形態において、取り付けインサートは、可撓性制御を提供するために少なくとも１つの支持部を備える。
【００１６】
ある実施形態において、取り付けインサートは、モジュラ物体の重量をＸ形状の延伸部間に分配するためにＸ形状である。
【００１７】
ある実施形態において、磁気ボトルマウントは、係止クリップのスライド部が位置決めされている少なくとも１つのスライドスロットを伴って構成されており、スライドスロットの寸法は、係止クリップの移動を画定する。
【００１８】
ある実施形態において、取り付けインサートは、上部ラッチ、下部くさび、及び少なくとも１つのスペーサをさらに備える。
【００１９】
ある実施形態において、モジュラ物体は、複数の安定化点間の取り付けインサート上に係止する。
【００２０】
ある実施形態において、複数の安定化点は、上部ラッチ、下部くさび、少なくとも１つのスペーサ、上部ポスト突起部、及び下部ポスト突起部のうちの少なくとも１つを含む。
【００２１】
ある実施形態において、上部ラッチ、下部くさび、及び少なくとも１つのスペーサのうちの少なくとも１つは、モジュラ物体が縦方向に移動することを防止し、上部ポスト突起部、及び下部ポスト突起部のうちの少なくとも１つが、モジュラ物体が横方向に移動することを防止する。
【００２２】
ある実施形態において、係止クリップは、ユーザインターフェース特性を伴って構成される。
【００２３】
モジュラ物体を少なくとも１つの係止ポストを伴って構成された取り付けインサートに取り付けることを、取り付けインサートの少なくとも１つの係止ポストが、モジュラ物体のスロット内に、及びモジュラ物体のスロットを通して設置されるように、取り付けインサートの上面をモジュラ物体の背面に抗して置くことと、モジュラ物体を取り付けインサートの上面に沿って縦方向にスライドさせることと、モジュラ物体の一部を係止ポストの上部ポスト突起部の下にスライドさせることによって、モジュラ物体を取り付けインサート上に可逆的に係止することと、によって行うことを含む、着用可能なモジュラ運搬システムを使用する方法が、さらに提供される。
【００２４】
ある実施形態において、本方法は、モジュラ物体を取り付けインサートに可逆的に係止するために、係止クリップをシステムに取り付けることを、モジュラ物体が、取り付けインサートと係止クリップとの間にあり、かつ係止ポストが、係止クリップ内のスロット内に、及びスロットを通して配置されるように、係止クリップを、取り付けインサートの少なくとも１つの係止ポストの上に設置し、かつモジュラ物体の内面に当接させることと、係止クリップをモジュラ物体の内面に沿ってスライドさせることと、係止クリップのクリップタブを係止ポストの下部ポスト突起部の下にスライドさせることによって、係止クリップを取り付けインサート上に、モジュラ物体がそれらの間にある状態で、可逆的に係止すること、によって行うことをさらに含む。
【００２５】
ある実施形態において、本方法は、着用可能なモジュラ運搬システムからモジュラ物体を取り外すことを、係止クリップのクリップタブが係止ポストの下部ポスト突起部から取り除かれるように係止クリップをスライドさせることと、モジュラ物体にスライド力を適用して、それを係止ポストの上部ポスト突起部から取り除くことと、によって行うことをさらに含む。
【００２６】
別様に定義されない限り、本明細書において使用された全ての技術的及び／または化学的用語は、本発明が関連する当業者によって共通に理解されるものと同じ意味を有する。本明細書に記載されているものと同様または同等の方法及び材料が、本発明の実施形態の実施例または試験において使用されることができるが、例示的な方法及び／または材料が、以下に記載される。矛盾する場合は、定義を含む本特許明細書が優先されるであろう。加えて、材料、方法、及び実施例は、単に例示であり、必ずしも限定を意図していない。
【００２７】
本発明のいくつかの実施形態が、添付の図面を参照することにより、単に例として本明細書に記載される。詳細な図面への具体的参照について、示される個々の詳細は、例としてであり、必ずしも縮尺通りではなく、本発明の実施形態の例示的な考察のためであるということが強調される。この点において、図面で取り上げられる説明は、本発明の実施形態がどのように実行され得るかを、当業者に明らかとする。
【図面の簡単な説明】
【００２８】
【図１】着用可能なモジュラ運搬システムの斜視図である。
【図２】着用可能なモジュラ運搬システムの部分的な分解図である。
【図３Ａ】部分的に切り取った、ボトルマウントを有する着用可能なモジュラ運搬システムの前面図である。
【図３Ｂ】ボトルマウントが取り付けられていない、着用可能なモジュラ運搬システムの前面図である。
【図３Ｃ】取り付けインサートを確実に保持するためのポケットを有する着用可能なモジュラ運搬システムの前面図である。
【図４Ａ】着用可能なモジュラ運搬システムの取り付けインサートの斜視図である。
【図４Ｂ】着用可能なモジュラ運搬システムの取り付けインサートの斜視側面図である。
【図４Ｃ】ボトルマウントが取り付けられた状態の取り付けインサートの斜視図である。
【図５Ａ−５Ｄ】着用可能なモジュラ運搬システムのボトルマウントの図である。
【図６Ａ−６Ｂ】着用可能なモジュラ運搬システムの係止クリップの図である。
【図７Ａ−７Ｄ】着用可能なモジュラ運搬システムの突出面付き取り付けインサートの図である。
【図８】着用可能なモジュラ運搬システムの取り付けインサートの鍵穴である。
【図９】着用可能なモジュラ運搬システムを使用する方法のフローチャートである。
【発明を実施するための形態】
【００２９】
本発明は、そのいくつかの実施例において、身体活動に関し、より具体的には、限定されるものではないが、身体活動アクセサリに関する。
【００３０】
本発明の少なくとも１つの実施形態を詳細に説明する前に、本発明は、以下の説明において記載される、及び／または図面において示される、構成部品の構造及び配置ならびに／または方法の詳細に、その用途を必ずしも限定するわけではないということを理解されたい。本発明は、他の実施形態が可能であり、様々な方法において実施または実行されることが可能である。
【００３１】
図１は、本開示の態様に従う、着用可能なモジュラ運搬システム１００の斜視図である。着用可能なモジュラ運搬システム１００は、激しい運動または他の娯楽活動に集中している間使用しやすい、給水システムなどの、取り付け可能なモジュールを着用する好便な手段を提供するように構成される。本開示のいくつかの態様において、着用可能なモジュラ運搬システム１００は、ベルト１０２、磁気活性となるように構成されたボトル１０４、磁気活性ボトル１０４の対応部分として少なくとも１つの磁石で構成されたボトルマウント１０６、取り付けインサート２０２（図示せず）、及び係止クリップ２０４（図示せず）を備え、様々な構成部品は、図２の分解図に関してより詳しく示され、記載される。いくつかの態様において、着用可能なモジュラ運搬システム１００は、従来型の解決策のように、スリーブまたはケージ内部に収納されず、ボトル１０４は、ユーザが動作しながら比較的楽に及び／またはより使用しやすい方法で取り外され、かつ収容されることができる。ある態様において、ボトルの取り外しは、単純にボトル１０４をつかみ、それをボトルマウント１０６から外側に、ユーザの体から切り離して引くことを必要とする。着用可能なモジュラ運搬システム１００は、ボトル１０４の簡単な収容のために構成され、ボトル１０４をボトルマウント１０６に十分に近づけることで、ボトル１０４とボトルマウント１０６との間の磁力をもたらし、ボトル１０４をボトルマウント１０６内、及び続いて、ベルト１０２内の着座位置に戻すであろう。着用可能なモジュラ運搬システム１００を使用するプロセスは、図９に関してより詳細に記載される。本開示のある態様において、着用可能なモジュラ運搬システム１００は、例えば、ボトル１０４がボトルマウント１０６に取り付けられるとき、ボトル１０４がしっかりと確実に適所に取り付けられたことをユーザに知らせるよう、可聴クリック音を鳴らすために、ボトル１０４の首部の周りに取り外し可能で、剛質の、連続金属リング及びリングの反対側のボトルマウント１０６上に位置付けられた少なくとも１つの金属磁石で任意に構成される。
【００３２】
いくつかの態様において、ベルト１０２は、例えばユーザの腰部の周りの重量及び／または圧力を分配するために、例えば中間に幅広部、及びベルトがユーザの腰の周りを巻く際のユーザの快適性を強化するために外側の縁の近くで先細りの部分を有する、背中に着用されるように構成された、人間工学的形状に形成される。いくつかの態様において、ベルト１０２は、例えば締め具１０８を伴い、可逆的に閉まるように構成される。任意に、締め具のうちの少なくとも１つの位置は、各ユーザ個人のニーズに合わせてカスタマイズするためにベルト１０２上で調節可能である。いくつかの態様において、ベルト１０２の外側の層は、少なくとも１つの区画を備える。
【００３３】
いくつかの態様において、着用可能なモジュラ運搬システム１００は、異なるサイズのボトル１０４を運搬するために構成される。実施例として、Ｓｐｅｃｉａｌｉｚｅｄ（登録商標）によって製造されるような、２１オンス、２２オンス、及び２４オンスの標準サイクリング水用ボトルがある。
【００３４】
着用可能なモジュラ運搬システム１００は、その開示が参照により本明細書に組み込まれる、同時係属中の米国特許出願第１３／４６２，６３１号、名称「Ｍａｇｎｅｔｉｃ  Ｂｏｔｔｌｅ  Ｓｙｓｔｅｍ  ａｎｄ  Ｍｅｔｈｏｄｓ  ｏｆ  Ｕｓｅ」において記載されるような、磁気ボトルマウンティングシステムとの係合のために設計された一方で、事実上いずれのものも、モジュラ様式において本明細書で記載された様々な取り付け構造及び方法を使用して、ベルト上に取り付けられ得ると考えられるということが理解されるはずである。
【００３５】
図２は、本開示のいくつかの態様に従う、着用可能なモジュラ運搬システム１００の部分的な分解図である。図１において示されるベルト１０２、ボトル１０４、及びボトルマウント１０６に加えて、取り付けインサート２０２及び係止クリップ２０４が、示される。本開示のある態様において、取り付けインサート２０２は、例えば、図３Ｂにおいてより明確に示されるように、縫合によってベルト１０２内部に確実に保持される。取り付けインサート２０２は、図４Ａ〜４Ｃ及び図７Ａ〜８に関して、より詳細に示され、かつ記載される。係止クリップ２０４は、図６Ａ〜６Ｂに関して、より詳細に示され、かつ記載される。いくつかの態様において、取り付けインサート２０２（または本明細書に記載された他の取り付けインサート７００、８００のうちのいずれか）は、図３Ｃにおいて示されるように、ベルト１０２の内部で形成されたポケット３０２の内部に確実に保持される。
【００３６】
本開示のいくつかの態様において、係止クリップ２０４は、着用可能なモジュラ運搬システム１００で使用されない。以下に記載されるように、取り付けインサート２０２とボトルマウント１０６（または取り付けインサート２０２に取り付けられているいずれのもの）との間の確実な係止は、ある態様において、係止クリップ２０４の適用がなくても安定した取り付け力量を作り出す。
【００３７】
図３Ａは、本開示の態様において、部分的に切り取ったボトルマウント１０６を有する着用可能なモジュラ運搬システム１００の前面図である。図３Ａにおいて、図３Ｃに関して記載されたベルト１０２の外側層またはポケット３０２は、ベルト１０２上に位置決めされた取り付けインサート２０２を示すために取り除かれ、この図において、ボトルマウント１０６に沿って取り付けインサート２０２に取り付けられる。いくつかの態様において、取り付けインサート２０２は、ベルト１０２内に縫合される。いくつかの態様において、取り付けインサート２０２は、ベルト１０２に接着剤によって固定される。いくつかの態様において、取り付けインサート２０２は、取り外し可能となるように構成され、例えば、以下に記載されるように、ポケット３０２によって適所に保持される。
【００３８】
本開示の態様において、取り付けインサート２０２の卵形の形状は、ベルト１０２のユーザが動作中にぶつからないように、ボトル１０４の重量の均衡を保つ。ある態様において、追加の支持材料が、卵形形状の周囲と取り付けインサート２０２の中心との間の取り付けインサート２０２に提供され、ボトルマウント１０６上の係止の意図しない解除を防止するために、取り付けインサート２０２の屈曲を減らすように支持及び／または剛性を加える、一方でまた、取り付けインサート２０２が、ユーザの体、例えば腰領域に対して屈曲及び／または形成することを依然可能としている。いくつかの態様において、可撓性は、取り付けインサート２０２の、幾何学形状、及び／または支持体４２２の数（図４Ａにおいてより詳細に示される）、及び／または材料の厚さを修正することによって変更される。ある態様において、ボトルマウント１０６は、取り付けインサート２０２上に配置され、その後係止クリップ２０４を使用して可逆的にその場所に係止される。取り付けインサート２０２は、概して卵形形状となるように示され、かつ記載されている一方で、いずれの形状も着用可能なモジュラ運搬システム１００において使用されることができるということが理解されるはずである。
【００３９】
図３Ｂは、ボトルマウント１０６が取り付けられていない着用可能なモジュラ運搬システム１００の前面図である。
【００４０】
図３Ｃは、本開示のいくつかの態様に従う、取り付けインサートを確実に保持するためのポケット３０２を伴う着用可能なモジュラ運搬システム１００であり、取り付けインサートが位置付けされたポケット３０２をより明瞭に示す。いくつかの態様において、取り付けインサート２０２は、ポケットから取り外し可能である。いくつかの態様において、取り付けインサートは、以下に記載された取り付けインサート７００、８００のうちの１つである。いくつかの態様において、取り付けインサートは、例えば縫合及び／または接着によってポケット３０２内に固定される。
【００４１】
図４Ａは、本開示の態様に従う、着用可能なモジュラ運搬システム１００の取り付けインサート２０２の斜視図である。取り付けインサート２０２は、例えばボトルマウント１０６などの、モジュラ物体を可逆的に係止するためのスロット４０４、６０２の対応部分として構成される（図４Ｃ及び図６Ａにおいてより詳細に示される）少なくとも１つの係止ポスト４０２を備えていることにより、そこにモジュラ物体を取り付けるために構成される。取り付けインサート２０２上に係止されるように構成されることができる他のモジュラ物体は、実施例として、バスケット、容器、懐中電灯ホルダ（または懐中電灯自体）、ホルスタ、ツールホルダ（またはツール自体）を含む。
【００４２】
本明細書においてその他、取り付けインサート２０２は、卵形形状であると記載されるが、形状及び／または大きさは、取り付けインサート２０２に取り付けられる予定の物体の使用用途及び／または大きさ及び／または重量によって変化し得る。
【００４３】
取り付けインサート２０２がベルトに組み込まれていることとして記載される一方で、本明細書で記載された取り付けインサート２０２、７００、８００は、その他のもの、例えばモジュラ物体をそこに取り付けるための衣料品、バックパック、シート、壁、車両などとの組み合わせにおいて使用されることができるということが理解されるはずである。
【００４４】
図４Ｂは、本開示の態様に従う、着用可能なモジュラ運搬システム１００の取り付けインサート２０２の斜視側面図である。側面からの斜視は、ある態様において、ボトルマウント１０６など、そこへの物体の取り付けを可能とする、取り付けインサート２０２の特性をよりよく見ることを可能とする。本開示の態様において、ボトルマウント１０６は、マウント内面５０２及び端部ブロック５０４（図５Ａ〜５Ｂに示される）が、各係止ポスト４０２の上部ラッチ４０６、下部くさび４０８、及び上部ポスト突起部４１０間に組み合わされるように、それらの間の確実な接触を通して取り付けインサート２０２に取り付ける。ある態様において、係止クリップ２０４が、各係止ポスト４０２の下部ポスト突起部４１２上に適切に係合されるとき、係止クリップ２０４は、下部ポスト突起部４１２及びマウント内面５０２との確実な接触を通して、取り付けインサート２０２とボトルマウント１０６との間に組み合わされ、一方でまたマウント内面５０２上の確実な接触を通してボトルマウント１０６と取り付けインサート２０２との組み合わせは、順にボトルマウント１０６のマウント内面５０２と取り付けインサート２０２の上面４１４との間の確実な接触を作り出す。
【００４５】
ある態様において、取り付けインサート２０２がボトルマウント１０６と完全に係合されると、ボトルマウントは、複数の安定化点、すなわち、上部ラッチ４０６、下部くさび４０８、上部ポスト突起部４１０、下部ポスト突起部４１２、及び少なくとも１つのスペーサ４１６の間で係止される。ある態様において、上部ラッチ４０６、下部くさび４０８、及び少なくとも１つのスペーサ４１６は、ボトルマウント１０６が縦方向に移動することを防止し、上部ポスト突起部４１０及び下部ポスト突起部４１２は、ボトルマウント１０６が横方向に移動することを防止する。ある態様において、取り付けインサート２０２と組み合わせたボトルマウント１０６の構成は、それらの表面が係止中機械的に引かれた平面となるようになる。
【００４６】
図４Ｃは、本開示の態様に従う、係止クリップ２０４を使用して、ボトルマウント１０６が取り付けられた状態の取り付けインサート２０２の斜視図である。ある態様において、ボトルマウント１０６及び係止クリップ２０４は、取り付けインサート２０２内に少なくとも部分的にくぼみを作る。実際、図９に関してより詳細に記載されるように、手動の力が、下方向４１８においてボトルマウント１０６に適用され、ボトルマウント１０６を取り付けインサート２０２上に可逆的に取り付ける。その後、係止クリップ２０４は、ボトルマウント１０６の取り付けインサート２０２への取り付けを任意に強化するために、上方４２０へスライドさせる。
【００４７】
図５Ａ〜５Ｄは、本開示の態様に従う、着用可能なモジュラ運搬システムのボトルマウント１０６の図である。本明細書で既に記載された特性に加えて、ボトルマウント１０６は、スライド６０４（図６Ａ〜６Ｂに関して示され、かつ記載された）への対応部分として設計された少なくとも１つのスライディングスロット５０６を伴って構成される。
【００４８】
図６Ａ〜６Ｂは、本開示の態様に従う、着用可能なモジュラ運搬システム１００の係止クリップ２０４の図である。本開示の態様において、係止クリップ２０４は、ユーザインターフェース特性６０６、例えば係止クリップ２０４のユーザ移動を促進するためのハンドル、くぼみ、ノブ、及び／またはタブを備える。ある態様において、クリップタブ６０８は、取り付けインサート２０２の下部ポスト突起部４１２の下に置く。ある態様において、取り付けインサート２０２のボトルマウント１０６との係合と同様に、係止クリップ２０４の係合は、ボトルマウント１０６の取り付けをさらに強化するように、及び任意に取り付けインサート２０２の可撓性に反する剛性を提供するように設計される。
【００４９】
図７Ａ〜７Ｄは、着用可能なモジュラ運搬システム１００の突出面付き取り付けインサート７００の図である。ある態様において、突出面付き取り付けインサート７００は、取り付けインサート２０２の代わりに使用される。ある態様において、突出面付き取り付けインサート７００は、卵形よりもＸ形状であるが、係止ポスト７０２を依然含む。ある態様において、Ｘ形状の脚部の長さ及び幅は、突出面付き取り付けインサート７００に取り付けられたモジュラ物体の重量配分及びバランスを判定する。
【００５０】
図８は、着用可能なモジュラ運搬システム１００の鍵穴取り付けインサート８００である。鍵穴インサート８００は、モジュラ物体が、例えばねじ付きボルト（図３Ａにおいて示されるような）を使用して、鍵穴取り付けインサート８００に締結され得るような鍵穴８０２を有する。鍵穴は、ボルトのヘッドが鍵穴取り付けインサート８００の後ろ側に凹設され得るように、１つの端部でより大きくなる。このことは、ある態様において、ボトルマウント１０６が鍵穴取り付けインサート８００にきつく締結されることを可能とする。
【００５１】
図９は、本開示の態様に従う、着用可能なモジュラ運搬システム１００を使用する方法（９００）のフローチャートである。ある態様において、取り付けインサート２０２にボトルマウント１０６を取り付けるプロセスは、概して、２段階プロセスである。第１のステップは、ボトルマウント１０６を取り付けインサート２０２に取り付けること（９０２）を含む。ボトルマウント１０６は、第１に取り付けインサート２０２の上面４１４をボトルマウント１０６の背面に抗して（マウント内面５０２の反対側に）置くこと（９０４）によって取り付けインサート２０２に機械的に取り付け、そのため２つの物体は、ボトルマウント１０６のスロット４０４の内部に、及びスロット４０４を通して配置された取り付けインサート２０２の上部ポスト突起部４１０及び下部ポスト突起部４１２と共に入れ子にされ／組み合わされる。ボトルマウント１０６を取り付けインサート２０２と共に係止するために、力が、ボトルマウント１０６に適用され、ボトルマウント１０６を取り付けインサート２０２の下部くさび４０８の方向において取り付けインサート２０２の表面に沿って縦方向にスライドさせる（９０６）。取り付けインサート２０２の表面は、ボトルマウント１０６の端部ブロック５０４が、取り付けインサート２０２の上部ラッチ４０６と下部くさび４０８との間でスライドできるように、屈曲するように設計される。
【００５２】
ある態様において、取り付けインサート２０２が、屈曲するとき、このことはまた、取り付けインサート２０２の少なくとも１つの上部ポスト突起部４１０が、ボトルマウント１０６のマウント内面５０２上に可逆的に係止する（９０８）ことをもたらすであろう。取り付けインサート２０２が、完全に係合されるとき、ボトルマウント１０６は、取り付けインサート２０２の複数の安定化点間に（上述されるように）係止されるはずである。この係止プロセス中、ボトルマウント１０６及び取り付けインサート２０２の特性は、全ての表面が、機械的にきつく引かれた平面となるように設計される。
【００５３】
ある態様において、第２の、任意のステップは、ボトルマウント１０６を固定するために着用可能なモジュラ運搬システム１００上に係止クリップ２０４を取り付けること（９１０）を含む。ある態様において、係止クリップ２０４は、取り付けインサート２０２の係止ポスト４０２上に設置される（９１２）。ある態様において、係止クリップ２０４の少なくとも１つのスライド６０４は、係止クリップ２０４のクリップタブ６０８が取り付けインサート２０２の少なくとも１つの下部ポスト突起部４１２上に完全に係止する（９１６）まで、ボトルマウント１０６のスライディングスロット５０６に沿ってスライドする（９１４）。係止クリップ２０４の少なくとも１つのスライド６０４は、係止クリップ２０４がボトルマウント１０６のスライディングスロット５０６内に圧入され得るように構成される。一旦配置されると、係止クリップ２０４は、ボトルマウント１０６のマウント内面５０２の内部に自由にスライドし得る。係止クリップ２０４がスライドする能力は、本開示の態様において、ボトルマウント１０６のスライディングスロット５０６の長さによって結合される。
【００５４】
ボトルマウントは、着用可能なモジュラ運搬システム１００から任意で取り除かれ得（９１８）、そのためボトルマウント１０６は、例えば、米国特許出願第１３／４６２，６３１号、名称「Ｍａｇｎｅｔｉｃ  Ｂｏｔｔｌｅ  Ｓｙｓｔｅｍ  ａｎｄ  Ｍｅｔｈｏｄｓ  ｏｆ  Ｕｓｅ」において図示されるように、自転車に取り付けられることができる。ある態様において、ボトルマウント１０６は、係止クリップ２０４をそれが係止された反対方向においてスライドさせる（９２０）ことによって（つまり係止クリップ２０４が下方４１８方向に移動する）、取り付けインサート２０２から取り外される（９１８）。係止クリップ２０４が開放された後、力がボトルマウント１０６の下部に適用され（９２２）、それを上方へスライドさせる。ボトルマウント１０６及び係止クリップ２０４は、その後開放されるはずである。
【００５５】
（製造）
ある態様において、取り付けインサート２０２、８００は、例として、プラズマカッター、ウォータージェット、または射出成型機を使用することによって作製される。突出面付き取り付けインサート７００に関して、インサート７００は、実施例として射出成型機またはダイカストを使用して製造される。またこれらの構成部品のうちのいずれも、３Ｄプリンタを使用して作製されることが可能となり得る。
【００５６】
上に記載されるように、取り付けインサートは、ベルト１０２の生地の中に縫合または接着される。しかしながら、材料を共に融着させるために熱または樹脂を使用することが可能となり得る。代替的に、取り付けインサートは、鍵穴８０２または係止ポスト７０２を露出させたままポケット３０２の中に取り付けインサートを入れることによって、生地の中に統合され得る。
【００５７】
取り付けインサート及びボトルマウント（または他の取り付けられた物体）は、１つの完全一体型の構成部品として製造され得ることが予想できる。着用可能なモジュラ運搬システムが、磁石が腰パックの生地の中に埋め込まれ、そのため取り付けインサートまたはボトルマウントを有する必要がないように設計することができることも、また予想できる。そのような設計は、磁気接触点を有するボトルを、単純にベルト１０２に直接取り付けることを可能とするであろう。
【００５８】
取り付けインサートは、炭素、金属、木、及び／またはプラスチックなどの様々な材料から作製され得る。同様に、係止クリップ２０４は、前述の材料のうちのいずれからも作製され得る。
【００５９】
いくつかの態様において、取り付けインサートが２つ以上のボトルマウント１０６を支持するように構成されることが可能である。
【００６０】
「備える（ｃｏｍｐｒｉｓｅｓ）」、「備えている（ｃｏｍｐｒｉｓｉｎｇ）」、「含む（ｉｎｃｌｕｄｅｓ）」、「含んでいる（ｉｎｃｌｕｄｉｎｇ）」、「有する（ｈａｖｉｎｇ）」という用語及びそれらの同根語は、「含んでいるがそれらに限定しない」ということを意味する。
【００６１】
「からなる（ｃｏｎｓｉｓｔｉｎｇ  ｏｆ）」という用語は、「含み、かつそれらに限定する」ということを意味する。
【００６２】
「本質的になる（ｃｏｎｓｉｓｔｉｎｇ  ｅｓｓｅｎｔｉａｌｌｙ  ｏｆ）」という用語は、組成物、方法、または構造が、追加の原料、ステップ、及び／または部品を含み得るが、追加の原料、ステップ、及び／または部品が特許請求された組成物、方法、または構造の基本的かつ新規の特徴を著しく変更しない場合のみ、追加の原料、ステップ、及び／または部品を含み得る。
【００６３】
本明細書において使用されるように、単数形「ａ」、「ａｎ」、及び「ｔｈｅ」は、文脈が明らかに別様に規定していない限り、複数の基準を含む。例えば、用語「１つの化合物（ａ  ｃｏｍｐｏｕｎｄ）」または「少なくとも１つの化合物（ａｔ  ｌｅａｓｔ  ｏｎｅ  ｃｏｍｐｏｕｎｄ）」は、それらの混合物を含む、複数の化合物を含み得る。
【００６４】
本出願の全体を通して、本発明の様々な実施形態が、範囲形式で提示され得る。範囲形式における記載は、単に便宜及び簡潔性のためのものであり、本発明の範囲上の柔軟性のない限定として解釈されるべきではないということが理解されるはずである。したがって、範囲の記載は、その範囲内の個々の数値と同様に、全ての可能性のある部分的な範囲を具体的に開示したとみなされるべきである。例えば、１〜６などの範囲の記載は、例えば１、２、３、４、５、及び６の範囲内の個々の数字と同様に、１〜３、１〜４、１〜５、２〜４、２〜６、３〜６などの部分的な範囲を具体的に開示しているとみなされるべきである。このことを、範囲の広さに関わらず適用する。さらに、記載された範囲は、統計誤差及び／または固有の測定装置制限内で記載されたいずれの範囲外の数を含むことが意図される。
【００６５】
数値範囲が本明細書において示されるときはいつでも、示された範囲内のいずれの引用数値（分数または整数）を含むことを意味する。フレーズ第１の数値と第２の数値「にわたる範囲／間の範囲（ｒａｎｇｉｎｇ／ｒａｎｇｅｓ  ｂｅｔｗｅｅｎ）」及び第１の数値「から（ｒａｎｇｉｎｇ／ｒａｎｇｅｓ  ｆｒｏｍ）」第２の数値「までにわたる範囲／までの範囲（ｔｏ）」は、本明細書において交換可能に使用され、第１及び第２の数値ならびにそれらの間の全ての分数及び整数を含むことを意味する。
【００６６】
明瞭性のために別の実施形態の文脈中で記載された、本発明のある特定の特徴は、また個々の実施形態と組み合わせて提供され得ることが認識される。反対に、簡潔性のため、個々の実施形態の文脈中で記載された、本発明の様々な特徴もまた、別々に、またはいずれの好適な副次的組み合わせにおいて、または本発明のいずれの他に記載された実施形態において好適であるよう提供され得る。様々な実施形態の文脈中に記載されたある特定の特徴は、実施形態がそれらの要素無しでは動作不能でない限り、それらの実施形態の重要な特徴であるとみなされない。
【００６７】
本発明は、その特定の実施形態と連動して記載されているが、多くの代替物、修正、及び変化が、当業者には明らかであろうということが明白である。したがって、添付の請求項の趣旨及び広い範囲内にある全てのそのような代替物、修正、及び変化を含むことが意図される。
【００６８】
本明細書において述べられた全ての公開文書、特許、及び特許出願は、各個別の公開文書、特許または特許出願が、参照によって本明細書に組み込まれるように具体的に、かつ個々に示されているものと同程度まで、その全体が本明細書への参照によって、本明細書に組み込まれる。加えて、本出願におけるいずれの参照の引用または識別も、そのような参照が本発明への先行技術として利用可能であるという許可と解釈されるべきではない。その見出しが使用されるまで、必ずしも限定するものと解釈されるべきではない。
【要約】
着用可能なモジュラ運搬システムは、ベルトと、ベルトに隣接して保持され、かつ上部ポスト突起部及び下部ポスト突起部を伴う係止ポスト、ならびに鍵穴のうちの少なくとも１つを伴って構成された取り付けインサートと、取り付けインサートへの可逆的な取り付けのために構成されたモジュラ物体と、を備える。
【選択図】図１【図１】
0006412672.tif 000002
【図２】
0006412672.tif 000003
【図３Ａ】
0006412672.tif 000004
【図３Ｂ】
0006412672.tif 000005
【図３Ｃ】
0006412672.tif 000006
【図４Ａ】
0006412672.tif 000007
【図４Ｂ】
0006412672.tif 000008
【図４Ｃ】
0006412672.tif 000009
【図５Ａ】
0006412672.tif 000010
【図５Ｂ】
0006412672.tif 000011
【図５Ｃ】
0006412672.tif 000012
【図５Ｄ】
0006412672.tif 000013
【図６Ａ】
0006412672.tif 000014
【図６Ｂ】
0006412672.tif 000015
【図７Ａ】
0006412672.tif 000016
【図７Ｂ】
0006412672.tif 000017
【図７Ｃ】
0006412672.tif 000018
【図７Ｄ】
0006412672.tif 000019
【図８】
0006412672.tif 000020
【図９】
0006412672.tif 000021